(57)【要約】  ディスエーブルされる第１のセルユニット内のユーザ機器の該第１のセルユニット又はその一部のために拡張カバレッジを提供する第２のセルユニットへの無線セルラネットワークにおけるハンドオーバを制御する方法であって、前記第１のセルユニット及び前記第２のセルユニットは、セル又はセルセクタであり、前記方法は、前記第２のセルユニットによる通常動作中の使用のために予め指定された信号帯域幅又は時間−周波数リソースユニットの一部を選択するステップであって、該一部は、前記ハンドオーバ中に前記第１のセルユニットにより用いられる信号帯域幅又は時間−周波数リソースユニットと重複しない、ステップ、前記第１のセルユニットからハンドオーバされる前記ユーザ機器による使用のために前記選択された一部を指定するステップ、を有する。
2013534746.tif 000002
【特許請求の範囲】
【請求項１】
ディスエーブルされる第１のセルユニット内のユーザ機器の該第１のセルユニット又はその一部のために拡張カバレッジを提供する第２のセルユニットへの無線セルラネットワークにおけるハンドオーバを制御する方法であって、前記第１のセルユニット及び前記第２のセルユニットは、セル又はセルセクタであり、前記方法は、
前記第２のセルユニットによる通常動作中の使用のために予め指定された信号帯域幅又は時間−周波数リソースユニットの一部を選択するステップであって、該一部は、前記ハンドオーバ中に前記第１のセルユニットにより用いられる信号帯域幅又は時間−周波数リソースユニットと重複しない、ステップ、
前記第１のセルユニットからハンドオーバされる前記ユーザ機器による使用のために前記選択された一部を指定するステップ、
を有する方法。
【請求項２】
前記無線セルラネットワークはマルチキャリアシステムを用い、該マルチキャリアシステムでは、通常動作中、前記第１及び第２のセルユニットの各々は第１の周波数を中心とする第１の搬送波及び第２の周波数を中心とする少なくとも１つの第２の搬送波を有し、前記第１の周波数は前記第２の周波数と異なる、請求項１に記載の方法。
【請求項３】
前記第１のセルユニットからハンドオーバされる前記ユーザ機器による使用のために信号帯域幅の一部を選択するステップ及び指定するステップでは、前記第２のセルユニットの前記第２の搬送波により占有される帯域幅が選択され指定され、
前記方法は、
前記第１のセルユニットの前記第２の搬送波を用いるユーザ機器を前記第１のセルユニットの前記第１の搬送波へハンドオーバし、前記第２のセルユニットの前記第２の搬送波を用いるユーザ機器を前記第２のセルユニットの前記第１の搬送波へハンドオーバし、前記第１及び第２のセルユニットの第２の搬送波をディスエーブルするステップ、
追加搬送波の範囲が前記第１のセルユニットの全部又は一部に拡張するよう、前記第２のセルユニットの前記第２の搬送波により前に占有されていたのと同じ帯域幅に、前記第２のセルユニットのために前記追加搬送波を設定するステップ、
前記第１のセルユニットの前記第１の搬送波を用いるユーザ機器を前記第２のセルユニットの前記追加搬送波へハンドオーバするステップ、
を更に有する請求項２に記載の方法。
【請求項４】
前記無線セルラネットワークは分数周波数再利用システムを用い、該分数周波数再利用システムでは、周波数再利用係数はＮであり、前記第１及び第２のセルユニットの周波数再利用ｎ１の区分は第１の時間−周波数リソースユニットを用い、前記第２のセルユニットの周波数再利用ｎ２の区分は第２の時間−周波数リソースユニットを用い、前記第１のセルユニットの周波数再利用ｎ２の区分は第３の時間−周波数リソースユニットを用い、１≦ｎ１≦Ｎ、１≦ｎ２≦Ｎ、ｎ１≠ｎ２であり、前記第１、第２及び第３の時間−周波数リソースユニットは互いに異なる、請求項１に記載の方法。
【請求項５】
前記第１のセルユニットからハンドオーバされる前記ユーザ機器による使用のために時間−周波数リソースユニットの一部を選択するステップ及び指定するステップでは、前記第２のセルユニットの周波数再利用ｎ２の区分により占有される時間−周波数リソースユニットが選択及び指定され、
前記方法は、
前記第２のセルユニットの周波数再利用ｎ２の区分の範囲を前記第１のセルユニットの全部又は一部に拡張するステップ、
前記第１のセルユニットを用いるユーザ機器を前記第２のセルユニットの周波数再利用ｎ２の区分へハンドオーバするステップ、
を更に有する請求項４に記載の方法。
【請求項６】
前記第２のセルユニットの周波数再利用ｎ２の区分が前記第１のセルユニットからハンドオーバされるユーザ機器のためにカバレッジを提供するために排他的に用いられる場合、前記第２のセルユニットの周波数再利用ｎ２の区分を用いるユーザ機器は、前記第２のセルユニットの周波数再利用ｎ２の区分の範囲を拡張する前に、前記第２のセルユニットの周波数再利用ｎ１の区分に割り当てられる、請求項５に記載の方法。
【請求項７】
前記周波数再利用係数Ｎは３であり、ｎ１は１であり、ｎ２は３である、請求項４乃至６のいずれか一項に記載の方法。
【請求項８】
無線セルラネットワークのハンドオーバ手順で用いられる方法であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記第２のセルユニットは選択手順に従い前記第１のセルユニット以外のセルユニットから選択され、該選択手順は、
前記第１のセルユニットが最も高い受信信号強度を提供する場合でも、前記第１のセルユニットの近隣のセルユニットの受信信号強度に基づき測定報告を提供するよう、前記第１のセルユニット内のユーザ機器をトリガするために、ハンドオーバパラメータを更新するステップ、
を有する、方法。
【請求項９】
無線セルラネットワークのハンドオーバ手順で用いられる方法であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記第２のセルユニットは選択手順に従い前記第１のセルユニット以外のセルユニットから選択され、該選択手順は、
新たにイネーブルされるセルユニットをリストに追加することにより、前記第１のセルユニットの近隣のセルユニットの前記リストを更新するステップ、
を有する、方法。
【請求項１０】
無線セルラネットワークのハンドオーバ手順で用いられる方法であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記第２のセルユニットは選択手順に従い前記第１のセルユニット以外のセルユニットから選択され、該選択手順は、
新たにイネーブルされるセルユニットをリストに追加することにより、前記第１のセルユニットの近隣のセルユニットの前記リストを更新するステップ、
前記第１のセルユニットが最も高い受信信号強度を提供する場合でも、前記リスト内のセルユニットの受信信号強度に基づき測定報告を提供するよう、前記第１のセルユニット内のユーザ機器をトリガするために、ハンドオーバパラメータを更新するステップ、
を有する、方法。
【請求項１１】
前記ネットワークは３ＧＰＰ
ＬＴＥ−Ａネットワークであり、前記ハンドオーバパラメータは負の値に設定されたａ３オフセットパラメータである、請求項８又は１０に記載の方法。
【請求項１２】
無線セルラネットワークのハンドオーバ手順で用いられる方法であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記第２のセルユニットは選択手順に従い前記第１のセルユニット以外のセルユニットから選択され、該選択手順は、
前記第１のセルユニット内のユーザ機器にメッセージをブロードキャスト又はユニキャストするステップであって、該メッセージは、セルユニットが新たにイネーブルされたか否かを示し、該メッセージは、新たにイネーブルされた近隣セルユニットを含むが前記第１のセルユニットを除く近隣セルユニットの受信信号強度に基づき測定報告を提供するよう前記ユーザ機器を促す、ステップ、
を有する、方法。
【請求項１３】
無線セルラネットワークで用いられるハンドオーバ手順であって、該無線セルラネットワークでは、ディスエーブルされる第１のセルユニット内のユーザ機器は該第１のセルユニット又はその一部のために拡張カバレッジを提供する第２のセルユニットへハンドオーバされ、前記第１及び第２のセルユニットのうちのセルユニットはセル又はセルセクタであり、前記ハンドオーバ手順は、請求項１乃至３のいずれか一項に記載の方法に従って制御され請求項８乃至１２のいずれか一項に記載の方法を用い、又は請求項４乃至７のいずれか一項に記載の方法に従って制御され請求項８、１１及び１２のいずれか一項に記載の方法を用いる、ハンドオーバ手順。
【請求項１４】
第１のセルユニット内のユーザ機器の新たにイネーブルされた第２のセルユニットへの無線セルラネットワークにおけるハンドオーバを制御する方法であって、前記第１のセルユニットは前記第２のセルユニット又はその一部のために拡張カバレッジを提供し、前記第１のセルユニット及び前記第２のセルユニットは、セル又はセルセクタであり、前記方法は、
前記第２のセルユニットによる通常動作中の使用のために予め指定された信号帯域幅又は時間−周波数リソースユニットの一部を選択するステップであって、該一部は、前記第２のセルユニット又はその一部のカバレッジを提供するために前記第１のセルユニットにより用いられる信号帯域幅又は時間−周波数リソースユニットと重複しない、ステップ、
前記第１のセルユニットからハンドオーバされる前記ユーザ機器による使用のために前記選択された一部を指定するステップ、
を有する方法。
【請求項１５】
前記無線セルラネットワークはマルチキャリアシステムを用い、該マルチキャリアシステムでは、通常動作中、前記第１及び第２のセルユニットの各々は第１の周波数を中心とする第１の搬送波及び第２の周波数を中心とする少なくとも１つの第２の搬送波を有し、前記第１の周波数は前記第２の周波数と異なる、請求項１４に記載の方法。
【請求項１６】
前記第２のセルユニットによりカバーされる領域内のユーザ機器は、前記第１のセルユニットの第２の搬送波を用い、前記第１のセルユニットからハンドオーバされるユーザ機器による使用のために信号帯域幅の一部を選択するステップ及び指定するステップでは、前記第２のセルユニットの第１の搬送波により占有される帯域幅が選択及び指定され、
前記方法は、
前記第１のセルユニットの第２の搬送波を用いるユーザ機器を前記第２のセルユニットの第１の搬送波へハンドオーバするステップ、
前記第２のセルユニットの領域をカバーしないように、前記第１のセルユニットの第２の搬送波の範囲を縮小するステップ、
を更に有する請求項１５に記載の方法。
【請求項１７】
前記無線セルラネットワークは分数周波数再利用システムを用い、該分数周波数再利用システムでは、周波数再利用係数はＮであり、前記第１及び第２のセルユニットの周波数再利用ｎ１の区分は第１の時間−周波数リソースユニットを用い、前記第２のセルユニットの周波数再利用ｎ２の区分は第２の時間−周波数リソースユニットを用い、前記第１のセルユニットの周波数再利用ｎ２の区分は第３の時間−周波数リソースユニットを用い、１≦ｎ１≦Ｎ、１≦ｎ２≦Ｎ、ｎ１≠ｎ２であり、前記第１、第２及び第３の時間−周波数リソースユニットは互いに異なる、請求項１４に記載の方法。
【請求項１８】
前記第２のセルユニットによりカバーされる領域内のユーザ機器は、前記第１のセルユニットの周波数再利用ｎ２の区分を用い、前記第１のセルユニットからハンドオーバされるユーザ機器による使用のために時間−周波数リソースユニットの一部を選択するステップ及び指定するステップでは、前記第２のセルユニットの周波数再利用ｎ２の区分により占有される時間−周波数リソースユニットが選択及び指定され、
前記方法は、
前記第２のセルユニットによりカバーされる領域内のユーザ機器を前記第１のセルユニットの周波数再利用ｎ２の区分から前記第２のセルユニットの周波数再利用ｎ２の区分へハンドオーバするステップ、
前記第２のセルユニットの領域をカバーしないよう、前記第１のセルユニットの周波数再利用ｎ２の区分の範囲を縮小するステップ、
を更に有する請求項１７に記載の方法。
【請求項１９】
前記周波数再利用係数Ｎは３であり、ｎ１は１であり、ｎ２は３である、請求項１７又は１８に記載の方法。
【請求項２０】
無線セルラネットワークのハンドオーバ手順で用いられる方法であって、該ハンドオーバ手順では、第１のセルユニット内のユーザ機器は第２のセルユニットへハンドオーバされ、前記第１のセルユニットは前記第２のセルユニット又はその一部のためにカバレッジを提供し、前記第１及び第２のセルユニットのうちのセルユニットはセル又はセルセクタであり、前記第２のセルユニットは選択手順に従い新たにイネーブルされたセルユニットを含むが前記第１のセルユニットを除くセルユニットから選択され、該選択手順は、
前記第１のセルユニット内のユーザ機器にメッセージをブロードキャスト又はユニキャストするステップであって、該メッセージは、セルユニットが新たにイネーブルされたか否かを示し、該メッセージは、新たにイネーブルされた近隣セルユニットを含むが前記第１のセルユニットを除く近隣セルユニットの受信信号強度に基づき測定報告を提供するよう前記ユーザ機器を促す、ステップ、
を有する、方法。
【請求項２１】
ディスエーブルされる第１のセルユニット内のユーザ機器の該第１のセルユニット又はその一部のために拡張カバレッジを提供する第２のセルユニットへの無線セルラネットワークにおけるハンドオーバを制御するハンドオーバ制御装置であって、前記第１のセルユニット及び前記第２のセルユニットは、セル又はセルセクタであり、前記装置は、
前記第２のセルユニットによる通常動作中の使用のために予め指定された信号帯域幅又は時間−周波数リソースユニットの一部を選択し、該一部は、前記ハンドオーバ中に前記第１のセルユニットにより用いられる信号帯域幅又は時間−周波数リソースユニットと重複せず、
前記第１のセルユニットからハンドオーバされる前記ユーザ機器による使用のために前記選択された一部を指定する、装置。
【請求項２２】
前記装置は、マルチキャリアシステムを用いるよう構成された無線セルラネットワークでの使用のために適応され、該マルチキャリアシステムでは、通常動作中、前記第１及び第２のセルユニットの各々は第１の周波数を中心とする第１の搬送波及び第２の周波数を中心とする少なくとも１つの第２の搬送波を有し、前記第１の周波数は前記第２の周波数と異なる、請求項２１に記載の装置。
【請求項２３】
前記第１のセルユニットからハンドオーバされる前記ユーザ機器による使用のために前記第２のセルユニットの第２の搬送波により占有される帯域幅を選択及び指定するよう構成され、
前記第１のセルユニットの第２の搬送波を用いるユーザ機器を前記第１のセルユニットの第１の搬送波へハンドオーバし、前記第２のセルユニットの第２の搬送波を用いるユーザ機器を前記第２のセルユニットの第１の搬送波へハンドオーバし、前記第１及び第２のセルユニットの第２の搬送波をディスエーブルし、
追加搬送波の範囲が前記第１のセルユニットの全部又は一部に拡張するよう、前記第２のセルユニットの前記第２の搬送波により前に占有されていたのと同じ帯域幅に、前記第２のセルユニットのために前記追加搬送波を設定し、
前記第１のセルユニットの第１の搬送波を用いるユーザ機器を前記第２のセルユニットの追加搬送波へハンドオーバする、
よう更に構成される請求項２２に記載の装置。
【請求項２４】
前記装置は、分数周波数再利用システムを用いるよう構成された無線セルラネットワークでの使用に適応され、該分数周波数再利用システムでは、周波数再利用係数はＮであり、前記第１及び第２のセルユニットの周波数再利用ｎ１の区分は第１の時間−周波数リソースユニットを用い、前記第２のセルユニットの周波数再利用ｎ２の区分は第２の時間−周波数リソースユニットを用い、前記第１のセルユニットの周波数再利用ｎ２の区分は第３の時間−周波数リソースユニットを用い、１≦ｎ１≦Ｎ、１≦ｎ２≦Ｎ、ｎ１≠ｎ２であり、前記第１、第２及び第３の時間−周波数リソースユニットは互いに異なる、請求項２１に記載の装置。
【請求項２５】
前記第２のセルユニットの周波数再利用ｎ２の区分により占有される帯域幅を前記第１のセルユニットからハンドオーバされるユーザ機器による使用のために選択し指定するよう構成され、
前記第２のセルユニットの周波数再利用ｎ２の区分の範囲を、前記第１のセルユニットの全部又は一部に拡張させ、
前記第１のセルユニットを用いるユーザ機器を、前記第２のセルユニットの周波数再利用ｎ２の区分へハンドオーバさせる、請求項２４に記載の装置。
【請求項２６】
前記第２のセルユニットの周波数再利用ｎ２の区分が前記第１のセルユニットからハンドオーバされるユーザ機器にカバレッジを提供するために排他的に用いられる場合、前記装置は、前記第２のセルユニットの周波数再利用ｎ２の区分を用いるユーザ機器を、前記第２のセルユニットの周波数再利用ｎ２の区分の範囲が拡張される前に、前記第２のセルユニットの周波数再利用ｎ１の区分に割り当てられるようにする、請求項２５に記載の装置。
【請求項２７】
前記周波数再利用係数Ｎは３であり、ｎ１は１であり、ｎ２は３である、請求項２４乃至２６のいずれか一項に記載の装置。
【請求項２８】
無線セルラネットワークのハンドオーバ手順の実行で用いられる装置であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記装置は、前記第１のセルユニット以外のセルユニットから前記第２のセルユニットを選択するために選択手順を実行するよう構成され、該選択手順では、前記装置は、前記第１のセルユニットが最も高い受信信号強度を提供する場合でも、前記第１のセルユニットの近隣のセルユニットの受信信号強度に基づき測定報告を提供するよう、前記第１のセルユニット内のユーザ機器をトリガするために、ハンドオーバパラメータを更新させる、装置。
【請求項２９】
無線セルラネットワークのハンドオーバ手順の実行で用いられる装置であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記装置は、前記第１のセルユニット以外のセルユニットから前記第２のセルユニットを選択するために選択手順を実行するよう構成され、該選択手順では、前記装置は、新たにイネーブルされるセルユニットをリストに追加することにより、前記第１のセルユニットの近隣のセルユニットの前記リストを更新させる、装置。
【請求項３０】
無線セルラネットワークのハンドオーバ手順の実行で用いられる装置であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記装置は、前記第１のセルユニット以外のセルユニットから前記第２のセルユニットを選択するために選択手順を実行するよう構成され、該選択手順では、前記装置は、
新たにイネーブルされるセルユニットをリストに追加することにより、前記第１のセルユニットの近隣のセルユニットの前記リストを更新させ、
前記第１のセルユニットが最も高い受信信号強度を提供する場合でも、前記リスト内のセルユニットの受信信号強度に基づき測定報告を提供するよう、前記第１のセルユニット内のユーザ機器をトリガするために、ハンドオーバパラメータを更新させる、装置。
【請求項３１】
前記ネットワークは３ＧＰＰ
ＬＴＥ−Ａネットワークであり、前記ハンドオーバパラメータは負の値に設定されたａ３オフセットパラメータである、請求項２８又は３０に記載の装置。
【請求項３２】
無線セルラネットワークのハンドオーバ手順の実行で用いられる装置であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記装置は、前記第１のセルユニット以外のセルユニットから前記第２のセルユニットを選択するために選択手順を実行するよう構成され、該選択手順では、前記装置は、
前記第１のセルユニット内のユーザ機器へメッセージをブロードキャスト又はユニキャストさせ、該メッセージは、セルユニットが新たにイネーブルされたか否かを示し、該メッセージは、新たにイネーブルされた近隣セルユニットを含むが前記第１のセルユニットを除く近隣セルユニットの受信信号強度に基づき測定報告を提供するよう前記ユーザ機器を促す、装置。
【請求項３３】
ディスエーブルされる第１のセルユニット内のユーザ機器の該第１のセルユニット又はその一部のために拡張カバレッジを提供する第２のセルユニットへの無線セルラネットワークにおけるハンドオーバ手順を実行する装置であって、前記第１及び第２のセルユニットのうちのセルユニットはセル又はセルセクタであり、前記装置は、請求項２１乃至２３のいずれか一項及び請求項２８乃至３２のいずれか一項に従い、又は請求項２１及び２４乃至２７のいずれか一項及び請求項２８、３１及び３２のいずれか一項に従い構成される、装置。
【請求項３４】
第１のセルユニット内のユーザ機器の新たにイネーブルされた第２のセルユニットへの無線セルラネットワークにおけるハンドオーバを制御するハンドオーバ制御装置であって、前記第１のセルユニットは前記第２のセルユニット又はその一部のために拡張カバレッジを提供し、前記第１のセルユニット及び前記第２のセルユニットは、セル又はセルセクタであり、前記装置は、
前記第２のセルユニットによる通常動作中の使用のために予め指定された信号帯域幅又は時間−周波数リソースユニットの一部を選択し、該一部は、前記第２のセルユニット又はその一部のカバレッジを提供するために前記第１のセルユニットにより用いられる信号帯域幅又は時間−周波数リソースユニットと重複せず、
前記第１のセルユニットからハンドオーバされる前記ユーザ機器による使用のために前記選択された一部を指定する、
装置。
【請求項３５】
前記装置は、マルチキャリアシステムを用いる無線セルラネットワークでの使用のために適応され、該マルチキャリアシステムでは、通常動作中、前記第１及び第２のセルユニットの各々は第１の周波数を中心とする第１の搬送波及び第２の周波数を中心とする少なくとも１つの第２の搬送波を有し、前記第１の周波数は前記第２の周波数と異なる、請求項３４に記載の装置。
【請求項３６】
前記第２のセルユニットによりカバーされる領域内のユーザ機器が、前記第１のセルユニットの第２の搬送波を用いるよう構成される場合、前記装置は、前記第１のセルユニットからハンドオーバされるユーザ機器による使用のために、前記第２のセルユニットの第１の搬送波により占有される帯域幅を選択及び指定するよう構成され、前記装置は、
前記第１のセルユニットの第２の搬送波を用いるユーザ機器を前記第２のセルユニットの第１の搬送波へハンドオーバさせ、
前記第２のセルユニットの領域をカバーしないように、前記第１のセルユニットの第２の搬送波の範囲を縮小させる、
よう更に構成される請求項３５に記載の装置。
【請求項３７】
前記装置は、分数周波数再利用システムを用いる無線セルラネットワークでの使用に適応され、該分数周波数再利用システムでは、周波数再利用係数はＮであり、前記第１及び第２のセルユニットの周波数再利用ｎ１の区分は第１の時間−周波数リソースユニットを用い、前記第２のセルユニットの周波数再利用ｎ２の区分は第２の時間−周波数リソースユニットを用い、前記第１のセルユニットの周波数再利用ｎ２の区分は第３の時間−周波数リソースユニットを用い、１≦ｎ１≦Ｎ、１≦ｎ２≦Ｎ、ｎ１≠ｎ２であり、前記第１、第２及び第３の時間−周波数リソースユニットは互いに異なる、請求項３４に記載の装置。
【請求項３８】
前記第２のセルユニットによりカバーされる領域内のユーザ機器が、前記第１のセルユニットの周波数再利用ｎ２の区分を用いる場合、前記装置は、前記第１のセルユニットからハンドオーバされるユーザ機器による使用のために前記第２のセルユニットの周波数再利用ｎ２の区分により占有される帯域幅を選択及び指定するよう構成され、
前記第２のセルユニットによりカバーされる領域内のユーザ機器を前記第１のセルユニットの周波数再利用ｎ２の区分から前記第２のセルユニットの周波数再利用ｎ２の区分へハンドオーバさせ、
前記第２のセルユニットの領域をカバーしないよう、前記第１のセルユニットの周波数再利用ｎ２の区分の範囲を縮小させる、
よう更に構成される請求項３７に記載の装置。
【請求項３９】
前記周波数再利用係数Ｎは３であり、ｎ１は１であり、ｎ２は３である、請求項３７又は３８に記載の装置。
【請求項４０】
無線セルラネットワークのハンドオーバ手順の実行で用いられる装置であって、該ハンドオーバ手順では、第１のセルユニット内のユーザ機器は第２のセルユニットへハンドオーバされ、前記第１のセルユニットは前記第２のセルユニット又はその一部のためにカバレッジを提供し、前記第１及び第２のセルユニットのうちのセルユニットはセル又はセルセクタであり、前記装置は、新たにイネーブルされたセルユニットを含むが前記第１のセルユニットを除くセルユニットから前記第２のセルユニットを選択するために選択手順を実行するよう構成され、該選択手順では、前記装置は、
前記第１のセルユニット内のユーザ機器にメッセージをブロードキャスト又はユニキャストさせ、該メッセージは、セルユニットが新たにイネーブルされたか否かを示し、該メッセージは、新たにイネーブルされた近隣セルユニットを含むが前記第１のセルユニットを除く近隣セルユニットの受信信号強度に基づき測定報告を提供するよう前記ユーザ機器を促す、装置。
【請求項４１】
コンピュータプログラムであって、無線セルラネットワーク内の装置で実行されると、前記装置に、請求項１乃至１２若しくは請求項１４乃至２０のいずれか一項に記載の方法、又は請求項１３に記載の手順を実行させる、又は請求項２１乃至４０のいずれか一項に記載の装置にさせる、コンピュータプログラム。
【発明の詳細な説明】
【技術分野】
【０００１】
本発明は、無線セルラネットワークにおける計画的セル停止のためのハンドオーバ手順及びシグナリングに関する。
【背景技術】
【０００２】
無線セルラネットワークのエネルギ消費の低減は、ネットワーク運用による環境影響及び運営費を低減するので、望ましい。標準的な無線セルラネットワークでは、基地局（ＢＳ）のエネルギ消費は、全エネルギ消費に対する支配的な貢献者である。したがって、エネルギ消費を低減するために、低トラフィックの時間中に１又は複数のＢＳ／セルをディスエーブルにするよう制御する方法を開発することは価値がある。これに関し、無線ネットワークにおけるエネルギ消費の低減は、近年、研究界及び産業界で活発な研究分野になっており、３ＧＰＰ  ＬＴＥ−Ａ標準化プロセスにおいても検討されている。
【０００３】
１又は複数のＢＳをディスエーブルするとき、ディスエーブルされるセルのカバレッジ領域内に位置するユーザ機器（ＵＥ）へのサービスの中断を回避するために注意しなければならない。異なるカバレッジ領域の大きさを提供する階層構造のＢＳ種類（例えば、長距離マクロセルＢＳにより既にカバーされている領域で追加容量を提供する短距離マイクロセル又はフェムトセルＢＳ）を用いることを特徴とするセルラオーバレイネットワークでは、短距離ＢＳによりカバーされている領域は既に長距離ＢＳによりカバーされているので、短距離ＢＳの計画的ディスエーブルは簡単である。これは、マクロセルＢＳの計画的ディスエーブルとは対照的である。マクロセルＢＳの計画的ディスエーブルでは、不稼働時間中、サービスの中断を回避するため、ディスエーブルされるＢＳにより提供される領域のカバレッジは、１又は複数の近隣ＢＳにより提供される必要がある。
【０００４】
ＵＳ２００９３１８１５６Ａ１は、第１のキャリア周波数を用いる第１の基地局から第２のキャリア周波数を用いる第２の基地局へユーザをハンドオーバする方法を開示している。ハンドオーバは、起こり得る呼損失又は呼の劣化によりトリガされる。
【０００５】
ＷＯ２００９０７８７６４Ａ１は、残りのセルのカバレッジを拡張することによるセル停止を補償する方法及び関連するシグナリングを開示している。該文献は、停止中の近隣セルを部分的にカバーするために、アンテナ位置及び／又は送信電力を変更することを提案する。この手順を支援するために、セル状態情報の交換のための関連するシグナリングメカニズムも開示されている。
【０００６】
ＵＳ２００６０８４４４１Ａ１は、ディスエーブルされたセルの領域内でカバレッジを提供するために、ディスエーブルされたセルの近隣にある少なくとも２つのセルのアンテナ放射パターンを変更することを提案している。拡張されたカバレッジは、アンテナビームパターン、送信電力又はデータレートを変更することにより提供される。
【０００７】
３ＧＰＰ標準の文献、３GPPR３-０９２３４２、「Energy  Saving  in  UTRAN」、２００９年１０月は、ディスエーブルされるセルによりカバーされている領域内のユーザが呼の中断なしに近隣セルにハンドオーバされるよう制御するために、ディスエーブルされるセルの送信電力を徐々に低下させることを提案している。
【０００８】
J.S.Thompson、P.M.Grant及びB.Mulgrew,B.による論文「Smart  antenna  arrays  for  CDMA  systems」、IEEE  Personal  Communications、Vol.３.、No.５、１９９６年１０月、pp１６−２５は、システム容量を向上し、アップリンクＵＥ送信電力要件を低減するために、基地局におけるアンテナアレイの使用を議論している。
【発明の概要】
【発明が解決しようとする課題】
【０００９】
改良されたハンドオーバ技術を提供することが望ましい。
【課題を解決するための手段】
【００１０】
本発明の第１の態様の実施形態によると、ディスエーブルされる第１のセルユニット内のユーザ機器の該第１のセルユニット又はその一部のために拡張カバレッジを提供する第２のセルユニットへの無線セルラネットワークにおけるハンドオーバを制御する方法であって、前記第１のセルユニット及び前記第２のセルユニットは、セル又はセルセクタであり、前記方法は、前記第２のセルユニットによる通常動作中の使用のために予め指定された信号帯域幅又は時間−周波数リソースユニットの一部を選択するステップであって、該一部は、前記ハンドオーバ中に前記第１のセルユニットにより用いられる信号帯域幅又は時間−周波数リソースユニットと重複しない、ステップ、前記第１のセルユニットからハンドオーバされる前記ユーザ機器による使用のために前記選択された一部を指定するステップ、を有する方法が提供される。
【００１１】
前記無線セルラネットワークは、マルチキャリアシステムを用い、該マルチキャリアシステムでは、通常動作中、前記第１及び第２のセルユニットの各々は第１の周波数を中心とする第１の搬送波及び第２の周波数を中心とする少なくとも１つの第２の搬送波を有し、前記第１の周波数は前記第２の周波数と異なる。この場合、前記第１のセルユニットからハンドオーバされる前記ユーザ機器による使用のために信号帯域幅の一部を選択するステップ及び指定するステップでは、前記第２のセルユニットの前記第２の搬送波により占有される帯域幅が選択され指定され、前記方法は、前記第１のセルユニットの前記第２の搬送波を用いるユーザ機器を前記第１のセルユニットの前記第１の搬送波へハンドオーバし、前記第２のセルユニットの前記第２の搬送波を用いるユーザ機器を前記第２のセルユニットの前記第１の搬送波へハンドオーバし、前記第１及び第２のセルユニットの第２の搬送波をディスエーブルするステップ、追加搬送波の範囲が前記第１のセルユニットの全部又は一部に拡張するよう、前記第２のセルユニットの前記第２の搬送波により前に占有されていたのと同じ帯域幅に、前記第２のセルユニットのために前記追加搬送波を設定するステップ、前記第１のセルユニットの前記第１の搬送波を用いるユーザ機器を前記第２のセルユニットの前記追加搬送波へハンドオーバするステップ、を更に有しても良い。
【００１２】
代替として、前記無線セルラネットワークは分数周波数再利用システムを用い、該分数周波数再利用システムでは、周波数再利用係数はＮであり、前記第１及び第２のセルユニットの周波数再利用ｎ１の区分は第１の時間−周波数リソースユニットを用い、前記第２のセルユニットの周波数再利用ｎ２の区分は第２の時間−周波数リソースユニットを用い、前記第１のセルユニットの周波数再利用ｎ２の区分は第３の時間−周波数リソースユニットを用い、１≦ｎ１≦Ｎ、１≦ｎ２≦Ｎ、ｎ１≠ｎ２であり、前記第１、第２及び第３の時間−周波数リソースユニットは互いに異なる。この場合、前記第１のセルユニットからハンドオーバされる前記ユーザ機器による使用のために時間−周波数リソースユニットの一部を選択するステップ及び指定するステップでは、前記第２のセルユニットの周波数再利用ｎ２の区分により占有される時間−周波数リソースユニットが選択及び指定され、前記方法は、前記第２のセルユニットの周波数再利用ｎ２の区分の範囲を前記第１のセルユニットの全部又は一部に拡張するステップ、前記第１のセルユニットを用いるユーザ機器を前記第２のセルユニットの周波数再利用ｎ２の区分へハンドオーバするステップ、を更に有しても良い。前記第２のセルユニットの周波数再利用ｎ２の区分が前記第１のセルユニットからハンドオーバされるユーザ機器のためにカバレッジを提供するために排他的に用いられる場合、前記第２のセルユニットの周波数再利用ｎ２の区分を用いるユーザ機器は、前記第２のセルユニットの周波数再利用ｎ２の区分の範囲を拡張する前に、前記第２のセルユニットの周波数再利用ｎ１の区分に割り当てられても良い。周波数再利用係数Ｎが３の場合、ｎ１は１であり、ｎ２は３であっても良い。
【００１３】
本発明の第２の態様の実施形態によると、無線セルラネットワークのハンドオーバ手順で用いられる方法であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記第２のセルユニットは選択手順に従い前記第１のセルユニット以外のセルユニットから選択され、該選択手順は、前記第１のセルユニットが最も高い受信信号強度を提供する場合でも、前記第１のセルユニットの近隣のセルユニットの受信信号強度に基づき測定報告を提供するよう、前記第１のセルユニット内のユーザ機器をトリガするために、ハンドオーバパラメータを更新するステップ、を有する、方法が提供される。マルチキャリアシステムの場合には、測定報告は、インター周波数測定報告である。ＦＦＲシステムの場合には、測定報告は、イントラ周波数測定報告である。前記ネットワークが３ＧＰＰ  ＬＴＥ−Ａネットワークである場合、前記ハンドオーバパラメータは負の値に設定されたａ３オフセットパラメータであっても良い。
【００１４】
本発明の第３の態様の実施形態によると、無線セルラネットワークのハンドオーバ手順で用いられる方法であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記第２のセルユニットは選択手順に従い前記第１のセルユニット以外のセルユニットから選択され、該選択手順は、新たにイネーブルされるセルユニットをリストに追加することにより、前記第１のセルユニットの近隣のセルユニットの前記リストを更新するステップ、を有する、方法が提供される。
【００１５】
本発明の第４の態様の実施形態によると、無線セルラネットワークのハンドオーバ手順で用いられる方法であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記第２のセルユニットは選択手順に従い前記第１のセルユニット以外のセルユニットから選択され、該選択手順は、新たにイネーブルされるセルユニットをリストに追加することにより、前記第１のセルユニットの近隣のセルユニットの前記リストを更新するステップ、前記第１のセルユニットが最も高い受信信号強度を提供する場合でも、前記リスト内のセルユニットの受信信号強度に基づき測定報告を提供するよう、前記第１のセルユニット内のユーザ機器をトリガするために、ハンドオーバパラメータを更新するステップ、を有する、方法が提供される。マルチキャリアシステムの場合には、測定報告は、インター周波数測定報告である。ＦＦＲシステムの場合には、測定報告は、イントラ周波数測定報告である。前記ネットワークが３ＧＰＰ  ＬＴＥ−Ａネットワークである場合、前記ハンドオーバパラメータは負の値に設定されたａ３オフセットパラメータであっても良い。
【００１６】
本発明の第５の態様の実施形態によると、無線セルラネットワークのハンドオーバ手順で用いられる方法であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記第２のセルユニットは選択手順に従い前記第１のセルユニット以外のセルユニットから選択され、該選択手順は、前記第１のセルユニット内のユーザ機器にメッセージをブロードキャスト又はユニキャストするステップであって、該メッセージは、セルユニットが新たにイネーブルされたか否かを示し、該メッセージは、新たにイネーブルされた近隣セルユニットを含むが前記第１のセルユニットを除く近隣セルユニットの受信信号強度に基づき測定報告を提供するよう前記ユーザ機器を促す、ステップ、を有する、方法が提供される。前記メッセージは、任意的に、前記第１のセルユニットがディスエーブルされる前に残っている時間の指標を有しても良い。
【００１７】
本発明の第６の態様の実施形態によると、無線セルラネットワークで用いられるハンドオーバ手順であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記ハンドオーバ手順は、本発明の第１の態様を用いる方法に従い及び本発明の第２乃至第５のいずれか１つの態様を用いる方法を用いて制御される。
【００１８】
本発明の第７の態様の実施形態によると、第１のセルユニット内のユーザ機器の新たにイネーブルされた第２のセルユニットへの無線セルラネットワークにおけるハンドオーバを制御する方法であって、前記第１のセルユニットは前記第２のセルユニット又はその一部のために拡張カバレッジを提供し、前記第１のセルユニット及び前記第２のセルユニットは、セル又はセルセクタであり、前記方法は、前記第２のセルユニットによる通常動作中の使用のために予め指定された信号帯域幅又は時間−周波数リソースユニットの一部を選択するステップであって、該一部は、前記第２のセルユニット又はその一部のカバレッジを提供するために前記第１のセルユニットにより用いられる信号帯域幅又は時間−周波数リソースユニットと重複しない、ステップ、前記第１のセルユニットからハンドオーバされる前記ユーザ機器による使用のために前記選択された一部を指定するステップ、を有する方法が提供される。
【００１９】
前記無線セルラネットワークは、マルチキャリアシステムを用い、該マルチキャリアシステムでは、通常動作中、前記第１及び第２のセルユニットの各々は第１の周波数を中心とする第１の搬送波及び第２の周波数を中心とする少なくとも１つの第２の搬送波を有し、前記第１の周波数は前記第２の周波数と異なる。この場合、前記第２のセルユニットによりカバーされる領域内のユーザ機器は、前記第１のセルユニットの第２の搬送波を用い、前記第１のセルユニットからハンドオーバされるユーザ機器による使用のために信号帯域幅の一部を選択するステップ及び指定するステップでは、前記第２のセルユニットの第１の搬送波により占有される帯域幅が選択及び指定され、前記方法は、前記第１のセルユニットの第２の搬送波を用いるユーザ機器を前記第２のセルユニットの第１の搬送波へハンドオーバするステップ、前記第２のセルユニットの領域をカバーしないように、前記第１のセルユニットの第２の搬送波の範囲を縮小するステップ、を更に有しても良い。
【００２０】
代替として、前記無線セルラネットワークは分数周波数再利用システムを用い、該分数周波数再利用システムでは、周波数再利用係数はＮであり、前記第１及び第２のセルユニットの周波数再利用ｎ１の区分は第１の時間−周波数リソースユニットを用い、前記第２のセルユニットの周波数再利用ｎ２の区分は第２の時間−周波数リソースユニットを用い、前記第１のセルユニットの周波数再利用ｎ２の区分は第３の時間−周波数リソースユニットを用い、１≦ｎ１≦Ｎ、１≦ｎ２≦Ｎ、ｎ１≠ｎ２であり、前記第１、第２及び第３の時間−周波数リソースユニットは互いに異なる。この場合、前記第２のセルユニットによりカバーされる領域内のユーザ機器は、前記第１のセルユニットの周波数再利用ｎ２の区分を用い、前記第１のセルユニットからハンドオーバされるユーザ機器による使用のために時間−周波数リソースユニットの一部を選択するステップ及び指定するステップでは、前記第２のセルユニットの周波数再利用ｎ２の区分により占有される時間−周波数リソースユニットが選択及び指定され、前記方法は、前記第２のセルユニットによりカバーされる領域内のユーザ機器を前記第１のセルユニットの周波数再利用ｎ２の区分から前記第２のセルユニットの周波数再利用ｎ２の区分へハンドオーバするステップ、前記第２のセルユニットの領域をカバーしないよう、前記第１のセルユニットの周波数再利用ｎ２の区分の範囲を縮小するステップ、を更に有しても良い。周波数再利用係数Ｎが３の場合、ｎ１は１であり、ｎ２は３であっても良い。
【００２１】
本発明の第８の態様の実施形態によると、無線セルラネットワークのハンドオーバ手順で用いられる方法であって、該ハンドオーバ手順では、第１のセルユニット内のユーザ機器は第２のセルユニットへハンドオーバされ、前記第１のセルユニットは前記第２のセルユニット又はその一部のためにカバレッジを提供し、前記第１及び第２のセルユニットのうちのセルユニットはセル又はセルセクタであり、前記第２のセルユニットは選択手順に従い新たにイネーブルされたセルユニットを含むが前記第１のセルユニットを除くセルユニットから選択され、該選択手順は、前記第１のセルユニット内のユーザ機器にメッセージをブロードキャスト又はユニキャストするステップであって、該メッセージは、セルユニットが新たにイネーブルされたか否かを示し、該メッセージは、新たにイネーブルされた近隣セルユニットを含むが前記第１のセルユニットを除く近隣セルユニットの受信信号強度に基づき測定報告を提供するよう前記ユーザ機器を促す、ステップ、を有する、方法が提供される。前記メッセージは、任意的に、前記第１のセルユニットがディスエーブルされる前に残っている時間の指標を有しても良い。
【００２２】
本発明の第９の態様の実施形態によると、ディスエーブルされる第１のセルユニット内のユーザ機器の該第１のセルユニット又はその一部のために拡張カバレッジを提供する第２のセルユニットへの無線セルラネットワークにおけるハンドオーバを制御するハンドオーバ制御装置であって、前記第１のセルユニット及び前記第２のセルユニットは、セル又はセルセクタであり、前記装置は、前記第２のセルユニットによる通常動作中の使用のために予め指定された信号帯域幅又は時間−周波数リソースユニットの一部を選択し、該一部は、前記ハンドオーバ中に前記第１のセルユニットにより用いられる信号帯域幅又は時間−周波数リソースユニットと重複せず、前記第１のセルユニットからハンドオーバされる前記ユーザ機器による使用のために前記選択された一部を指定する、よう構成される装置が提供される。
【００２３】
前記装置は、マルチキャリアシステムを用いるよう構成された無線セルラネットワークでの使用に適応され、該マルチキャリアシステムでは、通常動作中、前記第１及び第２のセルユニットの各々は第１の周波数を中心とする第１の搬送波及び第２の周波数を中心とする少なくとも１つの第２の搬送波を有し、前記第１の周波数は前記第２の周波数と異なる。この場合、前記装置は、前記第１のセルユニットからハンドオーバされる前記ユーザ機器による使用のために前記第２のセルユニットの第２の搬送波により占有される帯域幅を選択及び指定するよう構成され、前記第１のセルユニットの第２の搬送波を用いるユーザ機器を前記第１のセルユニットの第１の搬送波へハンドオーバし、前記第２のセルユニットの第２の搬送波を用いるユーザ機器を前記第２のセルユニットの第１の搬送波へハンドオーバし、前記第１及び第２のセルユニットの第２の搬送波をディスエーブルし、追加搬送波の範囲が前記第１のセルユニットの全部又は一部に拡張するよう、前記第２のセルユニットの前記第２の搬送波により前に占有されていたのと同じ帯域幅に、前記第２のセルユニットのために前記追加搬送波を設定し、前記第１のセルユニットの第１の搬送波を用いるユーザ機器を前記第２のセルユニットの追加搬送波へハンドオーバする、よう更に構成されても良い。
【００２４】
代替として、前記装置は、分数周波数再利用システムを用いるよう構成された無線セルラネットワークでの使用のために適応され、該分数周波数再利用システムでは、周波数再利用係数はＮであり、前記第１及び第２のセルユニットの周波数再利用ｎ１の区分は第１の時間−周波数リソースユニットを用い、前記第２のセルユニットの周波数再利用ｎ２の区分は第２の時間−周波数リソースユニットを用い、前記第１のセルユニットの周波数再利用ｎ２の区分は第３の時間−周波数リソースユニットを用い、１≦ｎ１≦Ｎ、１≦ｎ２≦Ｎ、ｎ１≠ｎ２であり、前記第１、第２及び第３の時間−周波数リソースユニットは互いに異なる。前記装置は、前記第２のセルユニットの周波数再利用ｎ２の区分により占有される帯域幅を前記第１のセルユニットからハンドオーバされるユーザ機器による使用のために選択し指定するよう構成され、前記第２のセルユニットの周波数再利用ｎ２の区分の範囲を、前記第１のセルユニットの全部又は一部に拡張させ、前記第１のセルユニットを用いるユーザ機器を、前記第２のセルユニットの周波数再利用ｎ２の区分へハンドオーバさせても良い。前記第２のセルユニットの周波数再利用ｎ２の区分が前記第１のセルユニットからハンドオーバされるユーザ機器のためにカバレッジを提供するために排他的に用いられる場合、前記装置は、前記第２のセルユニットの周波数再利用ｎ２の区分を用いるユーザ機器に、前記第２のセルユニットの周波数再利用ｎ２の区分の範囲が拡張される前に、前記第２のセルユニットの周波数再利用ｎ１の区分に割り当てられるようにしても良い。周波数再利用係数Ｎが３の場合、ｎ１は１であり、ｎ２は３であっても良い。
【００２５】
本発明の第１０の態様の実施形態によると、無線セルラネットワークのハンドオーバ手順の実行で用いられる装置であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記装置は、前記第１のセルユニット以外のセルユニットから前記第２のセルユニットを選択する選択手順を実行するよう構成され、該選択手順では、前記装置は、前記第１のセルユニットが最も高い受信信号強度を提供する場合でも、前記第１のセルユニットの近隣のセルユニットの受信信号強度に基づき測定報告を提供するよう、前記第１のセルユニット内のユーザ機器をトリガするために、ハンドオーバパラメータを更新させる、装置が提供される。マルチキャリアシステムの場合には、測定報告は、インター周波数測定報告である。ＦＦＲシステムの場合には、測定報告は、イントラ周波数測定報告である。前記ネットワークが３ＧＰＰ  ＬＴＥ−Ａネットワークである場合、前記ハンドオーバパラメータは負の値に設定されたａ３オフセットパラメータであっても良い。
【００２６】
本発明の第１１の態様の実施形態によると、無線セルラネットワークのハンドオーバ手順の実行で用いられる装置であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記装置は、前記第１のセルユニット以外のセルユニットから前記第２のセルユニットを選択するために選択手順を実行するよう構成され、該選択手順では、前記装置は、新たにイネーブルされるセルユニットをリストに追加することにより、前記第１のセルユニットの近隣のセルユニットの前記リストを更新させる、装置が提供される。
【００２７】
本発明の第１２の態様の実施形態によると、無線セルラネットワークのハンドオーバ手順の実行で用いられる装置であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記装置は、前記第１のセルユニット以外のセルユニットから前記第２のセルユニットを選択する選択手順を実行するよう構成され、該選択手順では、前記装置は、新たにイネーブルされるセルユニットをリストに追加することにより、前記第１のセルユニットの近隣のセルユニットの前記リストを更新させ、前記第１のセルユニットが最も高い受信信号強度を提供する場合でも、前記リスト内のセルユニットの受信信号強度に基づき測定報告を提供するよう、前記第１のセルユニット内のユーザ機器をトリガするために、ハンドオーバパラメータを更新させる、装置が提供される。マルチキャリアシステムの場合には、測定報告は、インター周波数測定報告である。ＦＦＲシステムの場合には、測定報告は、イントラ周波数測定報告である。前記ネットワークが３ＧＰＰ  ＬＴＥ−Ａネットワークである場合、前記ハンドオーバパラメータは負の値に設定されたａ３オフセットパラメータであっても良い。
【００２８】
本発明の第１３の態様の実施形態によると、無線セルラネットワークのハンドオーバ手順の実行で用いられる装置であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記装置は、前記第１のセルユニット以外のセルユニットから前記第２のセルユニットを選択するために選択手順を実行するよう構成され、該選択手順では、前記装置は、前記第１のセルユニット内のユーザ機器へメッセージをブロードキャスト又はユニキャストさせ、該メッセージは、セルユニットが新たにイネーブルされたか否かを示し、該メッセージは、新たにイネーブルされた近隣セルユニットを含むが前記第１のセルユニットを除く近隣セルユニットの受信信号強度に基づき測定報告を提供するよう前記ユーザ機器を促す、装置が提供される。前記メッセージは、任意的に、前記第１のセルユニットがディスエーブルされる前に残っている時間の指標を有しても良い。
【００２９】
本発明の第１４の態様の実施形態によると、無線セルラネットワークにおけるハンドオーバ手順を実行する装置であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記装置は、本発明の第８の態様及び本発明の第９乃至第１２のいずれか１つの態様に従い構成される装置が提供される。
【００３０】
本発明の第１５の態様の実施形態によると、第１のセルユニット内のユーザ機器の新たにイネーブルされた第２のセルユニットへの無線セルラネットワークにおけるハンドオーバを制御するハンドオーバ制御装置であって、前記第１のセルユニットは前記第２のセルユニット又はその一部のために拡張カバレッジを提供し、前記第１のセルユニット及び前記第２のセルユニットは、セル又はセルセクタであり、前記装置は、前記第２のセルユニットによる通常動作中の使用のために予め指定された信号帯域幅又は時間−周波数リソースユニットの一部を選択し、該一部は、前記第２のセルユニット又はその一部のカバレッジを提供するために前記第１のセルユニットにより用いられる信号帯域幅又は時間−周波数リソースユニットと重複せず、前記第１のセルユニットからハンドオーバされる前記ユーザ機器による使用のために前記選択された一部を指定する、よう構成される装置が提供される。
【００３１】
前記装置は、マルチキャリアシステムを用いる無線セルラネットワークでの使用に適応され、該マルチキャリアシステムでは、通常動作中、前記第１及び第２のセルユニットの各々は第１の周波数を中心とする第１の搬送波及び第２の周波数を中心とする少なくとも１つの第２の搬送波を有し、前記第１の周波数は前記第２の周波数と異なる。この場合、前記第２のセルユニットによりカバーされる領域内のユーザ機器が、前記第１のセルユニットの第２の搬送波を用いるよう構成される場合、前記装置は、前記第１のセルユニットからハンドオーバされるユーザ機器による使用のために、前記第２のセルユニットの第１の搬送波により占有される帯域幅を選択及び指定するよう構成され、前記装置は、前記第１のセルユニットの第２の搬送波を用いるユーザ機器を前記第２のセルユニットの第１の搬送波へハンドオーバさせ、前記第２のセルユニットの領域をカバーしないように、前記第１のセルユニットの第２の搬送波の範囲を縮小させても良い。
【００３２】
代替として、前記装置は、分数周波数再利用システムを用いる無線セルラネットワークでの使用のために適応され、該分数周波数再利用システムでは、周波数再利用係数はＮであり、前記第１及び第２のセルユニットの周波数再利用ｎ１の区分は第１の時間−周波数リソースユニットを用い、前記第２のセルユニットの周波数再利用ｎ２の区分は第２の時間−周波数リソースユニットを用い、前記第１のセルユニットの周波数再利用ｎ２の区分は第３の時間−周波数リソースユニットを用い、１≦ｎ１≦Ｎ、１≦ｎ２≦Ｎ、ｎ１≠ｎ２であり、前記第１、第２及び第３の時間−周波数リソースユニットは互いに異なる。この場合、前記第２のセルユニットによりカバーされる領域内のユーザ機器が、前記第１のセルユニットの周波数再利用ｎ２の区分を用いる場合、前記装置は、前記第１のセルユニットからハンドオーバされるユーザ機器による使用のために前記第２のセルユニットの周波数再利用ｎ２の区分により占有される帯域幅を選択及び指定するよう構成され、前記第２のセルユニットによりカバーされる領域内のユーザ機器を前記第１のセルユニットの周波数再利用ｎ２の区分から前記第２のセルユニットの周波数再利用ｎ２の区分へハンドオーバさせ、前記第２のセルユニットの領域をカバーしないよう、前記第１のセルユニットの周波数再利用ｎ２の区分の範囲を縮小させる、よう更に構成されても良い。周波数再利用係数Ｎが３の場合、ｎ１は１であり、ｎ２は３であっても良い。
【００３３】
本発明の第１６の態様の実施形態によると、無線セルラネットワークのハンドオーバ手順の実行で用いられる装置であって、該ハンドオーバ手順では、第１のセルユニット内のユーザ機器は第２のセルユニットへハンドオーバされ、前記第１のセルユニットは前記第２のセルユニット又はその一部のためにカバレッジを提供し、前記第１及び第２のセルユニットのうちのセルユニットはセル又はセルセクタであり、前記装置は、新たにイネーブルされたセルユニットを含むが前記第１のセルユニットを除くセルユニットから前記第２のセルユニットを選択するために選択手順を実行するよう構成され、該選択手順では、前記装置は、前記第１のセルユニット内のユーザ機器にメッセージをブロードキャスト又はユニキャストさせ、該メッセージは、セルユニットが新たにイネーブルされたか否かを示し、該メッセージは、新たにイネーブルされた近隣セルユニットを含むが前記第１のセルユニットを除く近隣セルユニットの受信信号強度に基づき測定報告を提供するよう前記ユーザ機器を促す、装置が提供される。
【００３４】
本発明の第１７の態様の実施形態によると、コンピュータプログラムであって、無線セルラネットワーク内の装置で実行されると、該装置に、本発明の第１乃至第５又は第７又は第８の態様のいずれか１つによる方法、又は本発明の第６の態様による手順を実行させ、又は本発明の第９乃至第１６の態様のいずれか１つによる装置になるようにする、コンピュータプログラムが提供される。
【００３５】
したがって、本発明を具現化する方法を用い、マクロセルＢＳは、ＵＥに対するサービス中断無しにオフに切り替えることができる。これは、ディスエーブルされるセルによりカバーされた領域内のＵＥが、制御された方法で、ディスエーブルされるセルの停止時間中にカバレッジが拡張される近隣ＢＳへ事前にハンドオーバされることを保証することにより達成される。同一の手順が、逆の順序で、マクロセルＢＳをイネーブルするときに用いられる。留意すべき点は、用語マクロセルＢＳは標準的な適用シナリオを表すために、ここで用いられることである。しかし、本発明は任意の他の種類のＢＳ又はＢＳセクタ（例えば、マイクロセル、ピコセル又はフェムトセルＢＳ）にも適用できることが理解されるべきである。
【００３６】
拡張カバレッジを提供するＢＳの信号帯域幅が、通常動作中に用いられる帯域幅の一部となるよう選択することにより、及びハンドオーバ間隔中に用いられる信号帯域幅がディスエーブルされるＢＳと重ならないようにすることにより、ハンドオーバを実施するために追加帯域幅が必要ない。
【図面の簡単な説明】
【００３７】
例として、添付の図面を参照する。
【図１】一般的なマルチキャリアシステムを示す。
【図２】本発明を具現化する第１のハンドオーバ手順を示す。
【図３】例示的な分数周波数再利用（ＦＦＲ）システムを示す。
【図４】本発明を具現化する第２のハンドオーバ手順を示す。
【図５】ハンドオーバシグナリングメカニズムを示す。
【図６】ハンドオーバ手順の物理層の実装を説明するために用いられる。
【図７Ａ】アンテナパターン合成を示すグラフである。
【図７Ｂ】アンテナパターン合成を示すグラフである。
【発明を実施するための形態】
【００３８】
本発明の一実施形態によると、セルラネットワーク内のセルのディスエーブル／イネーブルを制御するための方法は、ディスエーブルされるＢＳのカバレッジを提供するために、１又は複数のＢＳのカバレッジを拡張することによる。ディスエーブルされるＢＳをオフに切り替える前に、ディスエーブルされるＢＳのカバレッジ領域内にあるＵＥのハンドオーバを制御するために、拡張カバレッジを提供するＢＳとディスエーブルされるＢＳの両方は、ハンドオーバ時間間隔中、これらのＵＥに適切な信号強度を提供しなければならない。しかしながら、２つの信号間の干渉を回避するために、利用可能な帯域幅は、ハンドオーバ段階中に分けられ、２つの信号間の干渉が回避され、ＵＥが確実に拡張カバレッジを提供するＢＳにハンドオーバされるようにする。これは、拡張カバレッジを提供するＢＳの信号帯域幅が、通常動作中に用いられる帯域幅の一部となるよう選択することにより、及びハンドオーバ間隔中に用いられる信号帯域幅がディスエーブルされるＢＳと重ならないようにすることにより、達成される。このアプローチの利点は、セル停止を制御する提案される方法を実施するために追加帯域幅が必要ないことである。
【００３９】
特定のＢＳについて、ディスエーブルされるＢＳのために拡張カバレッジを提供するために、帯域幅を分ける２つの方法を、実用的なシステムを参照して以下に説明する。両方法は、ディスエーブルされるセルとの干渉を回避しながら、（システム設定、リソース割り当て等のような）制御シグナリング及び実際のデータ割り当てリソース領域が拡張カバレッジを有することを可能にする。
【００４０】
第１の方法は、通常動作中に主搬送波と副搬送波を用いるマルチキャリアシステムを用い、通常動作中に全てのセルによる全帯域幅の使用を可能にする。マルチキャリアシステムは、現在、３ＧＰＰ  ＬＴＥ−Ａ及びＩＥＥＥ  ８０２．１６ｍの両方で標準化されている。図１は、１つの主搬送波とＫ個の副搬送波を有する一般的なマルチキャリアシステムを示し、用語はＩＥＥＥ  ８０２．１６ｍに基づく（IEEE  ８０２.１６m-０９/００３４r２、“IEEE  ８０２.１６m  System  Description  Document  (SDD)”、２００９年９月）。主搬送波は完全な制御信号を含み、副搬送波は減量された制御情報を伝達するとする。
【００４１】
ハンドオーバ動作中に要求される帯域幅の非重複は、拡張カバレッジを提供すべきＢＳ内の追加の主搬送波で副搬送波を置き換えることにより得られる。一方で、ディスエーブルされるべきＢＳは、全てのＵＥが拡張カバレッジを提供する主搬送波にハンドオーバされると、ディスエーブルできる。
【００４２】
セル１は、ディスエーブルされるべきセル２の一部又は全体のために拡張カバレッジを提供し、セル１及び２の主搬送波Ａ及びＣは周波数ｆ１を中心とし、セル１及び２の副搬送波Ａ及びＣは周波数ｆ２を中心とし、図２に示されるようにハンドオーバ手順は３つの異なる段階を有するとする。
（１）セル１及び２は、該セルの全てのＵＥを該セルの副搬送波Ａ及びＣから該セルの主搬送波Ａ及びＣへハンドオーバする。次に、両方のセル１及び２は、該セルの副搬送波Ａ及びＣをディスエーブルする。
（２）セル１は、副搬送波Ａにより前に用いられたのと同じスペクトルで拡張範囲を有する新たな主搬送波Ｂを設定する。次に、セル２は、該セルの全てのＵＥをセル１からの主搬送波Ｂにハンドオーバする。
（３）セル２はディスエーブルされる。前にセル２により供されていた領域内の全てのＵＥは、セル１からの主搬送波Ｂにより供されるようになる。
【００４３】
同一の手順が、逆の順序で、特定のセル（図示されない）をイネーブルするために用いられる。特に、セル１が、セル１の通常範囲内のＵＥのために周波数ｆ１を中心とする主搬送波Ａを、セル１の拡張領域内のＵＥのためにｆ２を中心とする追加の主搬送波Ｂを有し、新たにイネーブルされたセル２は周波数ｆ１を中心とする主搬送波Ｃを有するとする。新たにイネーブルされたセル２へのハンドオーバは次の通りである。
（１）セル１は、セル２の拡張領域内のＵＥをセル２の主搬送波Ｃにハンドオーバする。
（２）セル１は、セル１の通常領域でセル１の副搬送波Ａとして用いるために、追加の主搬送波Ｂを回復させる。
（３）セル２は、自身の副搬送波Ｃを回復させる。
（４）セル１及び２の両方は、自身のＵＥを自身の主搬送波から自身の副搬送波へハンドオーバできる。
【００４４】
分数周波数再利用（ＦＦＲ）による第２の方法は、マルチキャリア動作に対応していないシステムで用いることができる。ＦＦＲは、無線セルラネットワークにおけるセル端干渉を低減する安定した方法である。ＦＦＲでは、ダウンリンク無線フレームは、例えば、周波数再利用１の区分（ネットワーク内の各ＢＳにより用いられる）及び周波数再利用３（ネットワーク内の３個に１個のＢＳにより再利用される）を有するよう構成できる。高いセル間干渉を経験しているセル端のＵＥは、周波数再利用３で供され、これらのＵＥは、サイト間の周波数再利用距離が増大するために、セル間干渉の減少を経験するだろう。
【００４５】
図３は、３の周波数再利用係数Ｎを有する例示的なＦＦＲシステムを示す。ここで、各ＢＳは、１つの周波数再利用３及び１つの周波数再利用１の区分を割り当てられる。留意すべき点は、図３が純粋に例として提供されること、利用可能な時間−周波数リソース単位の再利用１及び３の区分への異なる分配、例えば時間軸に沿った分離、又は周波数軸と時間軸の両方に沿って分離する特定の混合も用いることができることである。さらに、周波数再利用係数Ｎは３である必要はない。
【００４６】
本実施形態では、ハンドオーバ動作中に要求される帯域幅の非重複は、拡張カバレッジを提供するＢＳとディスエーブルされるべきＢＳとに対し、異なる周波数再利用３を用いることにより得られる。
【００４７】
セル１は、ディスエーブルされるべきセル２の一部又は全体のために拡張カバレッジを提供し、全てのセルの周波数再利用１の区分は周波数ｆ１を中心とし、セル１の周波数再利用３の区分は周波数ｆ２を中心とし、セル２の周波数再利用３の区分は周波数ｆ３を中心とするとする。拡張カバレッジを提供するセル内の周波数再利用３の区分の使用について、以下の２つの選択肢がある。
・周波数再利用３の区分は、拡張カバレッジを提供するために排他的に用いられる。この場合には、拡張カバレッジを提供するセル内の全てのＵＥは、事前に周波数再利用１の区分に割り当てられなければならない。
・周波数再利用３の区分は、拡張カバレッジを提供するため、及び拡張カバレッジを提供するセル内のＵＥが拡張カバレッジ領域内に供するために用いられる。このアプローチは、低信号品質のために幾つかのＵＥが周波数再利用１の区分で供されない場合に必要である。
【００４８】
ハンドオーバ手順は、図４に示されるような３つの異なる段階を有する。
（１）周波数再利用３の区分が、拡張カバレッジを提供するために排他的に用いられる場合、セル１は自身の全てのＵＥを周波数再利用３の区分から周波数再利用１の区分へ割り当てる。その他の場合、いかなる動作もない。
（２）セル１は、自身の周波数再利用３の区分の範囲を拡張する。次に、セル２は、自身の全てのＵＥをセル１から周波数再利用３の区分にハンドオーバする。
（３）セル２はディスエーブルされる。前にセル２により供されていた領域内の全てのＵＥは、セル１からの周波数再利用３の区分により供されるようになる。
【００４９】
同一の手順が、逆の順序で、特定のセル（図示されない）をイネーブルするために用いられる。特に、セル１は、周波数ｆ１で周波数再利用１の区分、周波数ｆ１で周波数再利用１の区分を有する新たにイネーブルされたセル２によりカバーされる領域の全部又は一部をカバーするために拡張範囲を有する周波数ｆ２で周波数再利用３の区分、及び周波数ｆ３で周波数再利用３の区分を有するとする。新たにイネーブルされたセル２へのハンドオーバは次の通りである。
（１）セル１は、自身の周波数再利用３の区分からセル２の周波数再利用３の区分へ、拡張されたカバレッジの領域内にあるＵＥをハンドオーバする。
（２）セル１は、自身の周波数再利用３の区分の範囲を自身の通常範囲に戻す。
（３）セル１及び２の両方は、通常ＦＦＲ動作を再開し、自身のＵＥを自身の周波数再利用１の区分又は自身の周波数再利用３の区分に割り当てる。
【００５０】
ハンドオーバ制御は、ディスエーブルされるべきＢＳ／セル自身により又は別のＢＳ／セルにより又はネットワークの別の部分により実行される。
【００５１】
上述の方法はいずれも、接続された（アクティブな）ＵＥのハンドオーバを可能にする。しかしながら、ＵＥにおけるエネルギを節約するため、３ＧＰＰ  ＬＴＥ／ＬＴＥ−Ａ及びＩＥＥＥ８０２．１６ｅ／ｍ標準の両方で、ＵＥのアイドルモードが定められる。アイドルモード中のＵＥは、個々のセル間でハンドオーバを実行する必要がない。代わりに、それらのＵＥは、複数のＢＳ／セルを有するトラッキング領域の境界でトラッキング領域更新を実行する必要があるだけである。
【００５２】
アイドルモードのＵＥの移動性制御は３ＧＰＰ  ＬＴＥではＵＥ中心なので、ＵＥは特定のセルがディスエーブルされる前に近隣のトラッキング領域にハンドオーバするよう強制されない。したがって、拡張カバレッジを提供すべきセルは、ディスエーブルされるべきセルと同一のトラッキング領域に属する。そうでなければ、多数のアイドルモードのＵＥが、セルがディスエーブルされると同時に、自身のトラッキング領域を更新するために、無線を介してシグナリングを開始してしまうだろう。同様の問題は、他の種類の無線セルラネットワークにおいても生じ得る。
【００５３】
図５を参照して、ハンドオーバ手順で用いられるシグナリングメカニズムを説明する。以下のＵＥ間のシグナリングメカニズムでは、ディスエーブルされるセルと拡張カバレッジを提供するセルは、３ＧＰＰ  ＬＴＥ−Ａシステムの既存メッセージに基づき説明されるが、同じ概念は、他の無線セルラネットワークにも当てはまる。同一のシグナリングメカニズムは、マルチキャリア及びＦＦＲの場合の両方に用いることができる。図５は、シグナリングフローを示す。ここで、ＢＳ（ｅＮＢ）間のバックボーンシグナリングとネットワーク要素は、提案するシグナリングメカニズムの一部ではないので示されない。通常のシステムの特定のシグナリング手順がバックボーンコネクションで用いられると仮定する。
【００５４】
セルをディスエーブルするシグナリングの５つ段階は次の通りである。
（１）RRCConnectionReconfigurationメッセージを用い、近隣リストを更新し、ＵＥ報告が開始する。
ａ．マルチキャリアの場合に、サービング（ソース）ｅＮＢは、新たにイネーブルされたセルのセルＩＤを追加することにより、近隣セルリストを更新する。ＦＦＲが用いられるとき、これは必要ない。
ｂ．ＵＥのMeasurementReportを開始するトリガ値が更新される。サービングｅＮＢが最良の信号強度を提供している場合でも、近隣セルの受信信号強度に基づき測定報告を開始するために、負値がａ３オフセット（a３-Offset）のために用いられる。或いは、トリガ値を更新する代わりに、ソースｅＮＢは、MeasurementReportを送るために、ＵＥへの未承認（unsolicited）要求を含む。
（２）ＵＥは、近隣セル測定によりトリガされるか又はサービングｅＮＢが未承認要求を送ったので、MeasurementReportメッセージをサービングｅＮＢへ送る。次に、サービングｅＮＢは、ＵＥをハンドオーバできる最も適切な目標ｅＮＢを決定する。
（３）ソースｅＮＢは、RRCConnectionReconfigurationメッセージを用いて、HandoverCommandをＵＥへ送る。
（４）ＵＥは、目標ｅＮＢとのアップリンク同期を確立する間、ランダムアクセス手順を開始する。
（５）ＵＥは、RRCConnectionReconfigurationCompleteメッセージを用いて、ハンドオーバ手順の完了を、目標ｅＮＢに伝達する。
【００５５】
セルをイネーブルする場合、上述の手順と比べて以下の動作が異なる。（１ａ）マルチキャリア及びＦＦＲの場合の両方で、イネーブルされるべきセルが近隣セルリストに追加される。（１ｂ）正のａ３オフセットが用いられる。
【００５６】
つまり、セルをイネーブルするシグナリングの５つ段階は次の通りである。
（１）RRCConnectionReconfigurationメッセージを用い、近隣リストを更新し、ＵＥ報告が開始する。
ａ．マルチキャリア及びＦＦＲの場合に、サービング（ソース）ｅＮＢは、新たにイネーブルされたセルのセルＩＤを追加することにより、近隣セルリストを更新する。
ｂ．ＵＥのMeasurementReportを開始するトリガ値が更新される。近隣セルの受信信号強度に基づき測定報告を開始するために、正値がａ３オフセットのために用いられる。或いは、トリガ値を更新する代わりに、ソースｅＮＢは、MeasurementReportを送るために、ＵＥへの未承認（unsolicited）要求を含む。
（２）ＵＥは、近隣セル測定によりトリガされるか又はサービングｅＮＢが未承認要求を送ったので、MeasurementReportメッセージをサービングｅＮＢへ送る。次に、サービングｅＮＢは、ＵＥをハンドオーバできる最も適切な目標ｅＮＢを決定する。
（３）ソースｅＮＢは、RRCConnectionReconfigurationメッセージを用いて、HandoverCommandをＵＥへ送る。
（４）ＵＥは、目標ｅＮＢとのアップリンク同期を確立する間、ランダムアクセス手順を開始する。
（５）ＵＥは、RRCConnectionReconfigurationCompleteメッセージを用いて、ハンドオーバ手順の完了を、目標ｅＮＢに伝達する。
【００５７】
３ＧＰＰ  ＬＴＥ−Ａシステムの既存メッセージによる上述のディスエーブル／イネーブルシグナリングメカニズムの第１の段階の代替として、ＵＥにセルがディスエーブルされる又はイネーブルされることを通知するために、特定のCellDisableメッセージをブロードキャスト又はユニキャストできる。CellDisableメッセージをブロードキャストすることにより、既存のユニキャストメッセージを用いるのに比べて、シグナリングオーバヘッドを縮小できる。CellDisableメッセージは、少なくとも以下の情報を有する。
【００５８】
［表１］CellDisableメッセージ
【表１】
2013534746.tif 000003
【００５９】
CellDisableメッセージは、サービングセルがディスエーブルされようとしている情報を自動的に含む。したがって、CellDisableメッセージを受信したときのＵＥの動作は、ディスエーブルされるべきサービングセルを測定から除外する。ＵＥは、次に、次に最良のセルを見付け、関連する測定値をサービングｅＮＢにMeasurementReportメッセージで報告する。
【００６０】
纏めると、本発明を具現化する方法は、無線セルラネットワークのためのハンドオーバ手順を提供できる。当該方法は、ディスエーブルされるセルから、ディスエーブルされるセルの領域のために拡張カバレッジを提供する近隣セル／複数セルへのＵＥのハンドオーバの制御を可能にする。当該方法では、利用可能なシステム帯域幅の非重複部分は、干渉を回避しながらハンドオーバの制御を可能にするために、拡張カバレッジを提供するセル及びディスエーブルされるセルに割り当てられる。利用可能なシステム帯域幅の非重複部分は、例えば、マルチキャリアシステムでは図２に示した、ＦＦＲでは図４に示した、セルをディスエーブルする詳細なハンドオーバ手順を用いて、マルチキャリア又はＦＦＲの使用を通じて得られる。同一の手順が、逆の順序で、セルをイネーブルするために用いられる。図５に纏めたような関連するシグナリング及び特に表１に示したような新しいCellDisableメッセージも提案した。
【００６１】
上述のマルチキャリア又はＦＦＲに基づくハンドオーバソリューションの物理層への実装は、アンテナビーム形成の使用を通じて可能である。留意すべき点は、ここで議論される実装は、単に例として提供され、代わりにディスエーブルされるセルに配置された遠隔アンテナのような他のアプローチが拡張カバレッジを提供するために用いられ得ることである。この例では、通常動作モードで、６５°ビーム幅の指向性アンテナの使用により、１つのＢＳが３つのセクタをカバーすると仮定する。したがって、以下の議論は、個々のセクタをディスエーブルすることに焦点を当てる。これは、上述の全ＢＳ又はセルをディスエーブルする概念の単に他の実施形態である。
【００６２】
ネットワーク負荷が特定レベルまで減少したとき、幾つかのセクタはオフに切り替えられ、オフに切り替えられたセクタをカバーするために、隣接セクタからのアンテナアレイによるビーム形成を用いることができる。図６は、３つに１つのセクタがオフに切り替えられ（「Ｘ」で印を付けた）且つオフに切り替えられたセクタをカバーするために４つの隣接セクタからのビーム形成が用いられるシナリオを示す。
【００６３】
この実施例では、アクティブなセクタの各々は、自身のセクタをカバーするのに加えて、オフに切り替えられたセクタの部分をカバーするために２つのビームを放射する必要がある。自身のセクタは、６５°ビーム幅を有する単一のアンテナによりカバーできる。これは、主搬送波Ａ又は周波数再利用１の区分で適切に動作する。この例のソリューションでは、拡張ビームは、半波長間隔の（同一の６５°ビーム幅の種類の）４つのアンテナアレイを用いることにより生成される。拡張ビームは、主搬送波Ｂ又は周波数再利用３の区分で適切に動作する。２つの搬送波／周波数部分は直交するので、通常の６５°ビームパターンと拡張ビームパターンがディスエーブルされるセクタで重なり合う場合、干渉がない。アレイに対するアンテナの重みは、C.A.Balanis「Antenna  Theory−Analysis  and  Design」、Chapter  ７.４、Wiley、１９９６年のＭＭＳＥ（Minimum  Mean-Squared  Error）アンテナアレイ合成アプローチに基づき、フーリエ変換で生成される。所望のパターンは、（図６に示したようなネットワーク内のセクタ位置に依存して）＋／−１５°及び＋／−４５°の方向にピークを有する。
【００６４】
例として、図７（Ａ）及び７（Ｂ）はそれぞれ、ＭＭＳＥアプローチで得られた−１５°及び＋４５°の方向にピークを有するビームパターンを、所望のビームパターンと共に示す。結果として得られたビームパターンは所望のパターンに良好に合致することが分かる。したがって、ディスエーブルされるセルのためにカバレッジを提供するこのようなビーム形成に基づくソリューションは、４要素のアンテナアレイを用いて達成可能であることが分かる。
【００６５】
図７（Ａ）及び７（Ｂ）では、ｙ軸に示した線形パワーは、６５°ビーム幅型アンテナで１つのセクタをカバーするのに必要な線形送信電力により正規化された線形送信電力に対応する。図６のように、１５°におけるピークはセル半径の１．３９倍をカバーし、４５°におけるピークはセル半径の０．９倍をカバーする。経路損失指数３．５を有する密集都市配置を仮定すると、これらの追加カバレッジビームは、単一のアンテナパターンのピークで５ｄＢ及び−１６ｄＢのパワーを必要とする。線形の条件では、これらは、単一の主ビームのパワーの３．１６倍（１５°のピーク）及び０．６９倍（４５°のピーク）に変換される。図７（Ａ）及び７（Ｂ）に示すように、これらのパワーレベルは、所要のアジマス角においてＭＭＳＥビーム形成方法で達成される。
【００６６】
周波数再利用３の区分のみが拡張カバレッジを提供するために用いられるマルチキャリアシステム又はＦＦＲシステムは、近隣セルのカバレッジを提供するために必要な２つのビームを生成するために、正規化送信電力１．５７を必要とすると仮定する。これは、６５°ビーム幅型アンテナの通常動作中に１つのセクタをカバーするために用いられる正規化送信電力１．０よりも高い。しかしながら、この高い送信電力は、拡張カバレッジを提供する搬送波又は周波数区分のために必要なだけである。したがって、拡張カバレッジを提供するＢＳの全正規化送信電力Ｐは、拡張カバレッジを提供する搬送波又周波数区分に割り当てられた帯域幅部分に依存して、１＜Ｐ＜１．５７の範囲内である。
【００６７】
本発明の実施形態は、ハードウェア、１若しくは複数のプロセッサで動作するソフトウェアモジュールとして又はそれらの組合せで実施されてもよい。つまり、当業者は、マイクロプロセッサ又はデジタルシグナルプロセッサ（ＤＳＰ）が実際には用いられて、上述の機能の一部又は全部を実施してもよいことを理解するだろう。
【００６８】
本発明は、１又は複数の装置若しくは機器の、本願明細書に記載された方法の一部又は全部を実行するプログラム（例えば、コンピュータプログラム及びコンピュータプログラムプロダクト）として具現化されてもよい。このような本発明を具現化するプログラムは、コンピュータ可読媒体又はクラウドに、例えば１又は複数の信号の形式で格納されてもよい。このような信号は、インターネットのウェブサイトからダウンロード可能なデータ信号であってもよく、又はキャリア信号で若しくはどんな他の形式で提供されてもよい。
【００６９】
本発明の種々の態様は、３ＧＰＰ  ＬＴＥ−Ａ及び／又はＩＥＥＥ８０２．１６ｍに従うネットワークを参照して説明された。しかし、本発明の実施形態は、ここに記載したこれらの実施形態以外の構成に適用できる。
【００７０】
さらに、別個に記載されたが、本発明の異なる態様の各々は、適切な場合には他の態様と結合されてもよい。
【図１】
2013534746.tif 000004
【図２】
2013534746.tif 000005
【図３】
2013534746.tif 000006
【図４】
2013534746.tif 000007
【図５】
2013534746.tif 000008
【図６】
2013534746.tif 000009
【図７Ａ】
2013534746.tif 000010
【図７Ｂ】
2013534746.tif 000011
【手続補正書】
【提出日】平成25年3月25日(2013.3.25)
【手続補正１】
【補正対象書類名】特許請求の範囲
【補正対象項目名】全文
【補正方法】変更
【補正の内容】
【特許請求の範囲】
【請求項１】
ディスエーブルされる第１のセルユニット内のユーザ機器の該第１のセルユニット又はその一部のために拡張カバレッジを提供する第２のセルユニットへの無線セルラネットワークにおけるハンドオーバを制御する方法であって、前記第１のセルユニット及び前記第２のセルユニットは、セル又はセルセクタであり、前記方法は、
前記第２のセルユニットによる通常動作中の使用のために予め指定された信号帯域幅又は時間−周波数リソースユニットの一部を選択するステップであって、該一部は、前記ハンドオーバ中に前記第１のセルユニットにより用いられる信号帯域幅又は時間−周波数リソースユニットと重複しない、ステップ、
前記第１のセルユニットからハンドオーバされる前記ユーザ機器による使用のために前記選択された一部を指定するステップ、
を有する方法。
【請求項２】
前記無線セルラネットワークはマルチキャリアシステムを用い、該マルチキャリアシステムでは、通常動作中、前記第１及び第２のセルユニットの各々は第１の周波数を中心とする第１の搬送波及び第２の周波数を中心とする少なくとも１つの第２の搬送波を有し、前記第１の周波数は前記第２の周波数と異なる、請求項１に記載の方法。
【請求項３】
前記第１のセルユニットからハンドオーバされる前記ユーザ機器による使用のために信号帯域幅の一部を選択するステップ及び指定するステップでは、前記第２のセルユニットの前記第２の搬送波により占有される帯域幅が選択され指定され、
前記方法は、
前記第１のセルユニットの前記第２の搬送波を用いるユーザ機器を前記第１のセルユニットの前記第１の搬送波へハンドオーバし、前記第２のセルユニットの前記第２の搬送波を用いるユーザ機器を前記第２のセルユニットの前記第１の搬送波へハンドオーバし、前記第１及び第２のセルユニットの第２の搬送波をディスエーブルするステップ、
追加搬送波の範囲が前記第１のセルユニットの全部又は一部に拡張するよう、前記第２のセルユニットの前記第２の搬送波により前に占有されていたのと同じ帯域幅に、前記第２のセルユニットのために前記追加搬送波を設定するステップ、
前記第１のセルユニットの前記第１の搬送波を用いるユーザ機器を前記第２のセルユニットの前記追加搬送波へハンドオーバするステップ、
を更に有する請求項２に記載の方法。
【請求項４】
前記無線セルラネットワークは分数周波数再利用システムを用い、該分数周波数再利用システムでは、周波数再利用係数はＮであり、前記第１及び第２のセルユニットの周波数再利用ｎ１の区分は第１の時間−周波数リソースユニットを用い、前記第２のセルユニットの周波数再利用ｎ２の区分は第２の時間−周波数リソースユニットを用い、前記第１のセルユニットの周波数再利用ｎ２の区分は第３の時間−周波数リソースユニットを用い、１≦ｎ１≦Ｎ、１≦ｎ２≦Ｎ、ｎ１≠ｎ２であり、前記第１、第２及び第３の時間−周波数リソースユニットは互いに異なる、請求項１に記載の方法。
【請求項５】
前記第１のセルユニットからハンドオーバされる前記ユーザ機器による使用のために時間−周波数リソースユニットの一部を選択するステップ及び指定するステップでは、前記第２のセルユニットの周波数再利用ｎ２の区分により占有される時間−周波数リソースユニットが選択及び指定され、
前記方法は、
前記第２のセルユニットの周波数再利用ｎ２の区分の範囲を前記第１のセルユニットの全部又は一部に拡張するステップ、
前記第１のセルユニットを用いるユーザ機器を前記第２のセルユニットの周波数再利用ｎ２の区分へハンドオーバするステップ、
を更に有する請求項４に記載の方法。
【請求項６】
前記第２のセルユニットの周波数再利用ｎ２の区分が前記第１のセルユニットからハンドオーバされるユーザ機器のためにカバレッジを提供するために排他的に用いられる場合、前記第２のセルユニットの周波数再利用ｎ２の区分を用いるユーザ機器は、前記第２のセルユニットの周波数再利用ｎ２の区分の範囲を拡張する前に、前記第２のセルユニットの周波数再利用ｎ１の区分に割り当てられる、請求項５に記載の方法。
【請求項７】
前記周波数再利用係数Ｎは３であり、ｎ１は１であり、ｎ２は３である、請求項４乃至６のいずれか一項に記載の方法。
【請求項８】
無線セルラネットワークのハンドオーバ手順で用いられる方法であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記第２のセルユニットは選択手順に従い前記第１のセルユニット以外のセルユニットから選択され、該選択手順は、
前記第１のセルユニットが最も高い受信信号強度を提供する場合でも、前記第１のセルユニットの近隣のセルユニットの受信信号強度に基づき測定報告を提供するよう、前記第１のセルユニット内のユーザ機器をトリガするために、ハンドオーバパラメータを更新するステップ、
を有する、方法。
【請求項９】
無線セルラネットワークのハンドオーバ手順で用いられる方法であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記第２のセルユニットは選択手順に従い前記第１のセルユニット以外のセルユニットから選択され、該選択手順は、
新たにイネーブルされるセルユニットをリストに追加することにより、前記第１のセルユニットの近隣のセルユニットの前記リストを更新するステップ、
を有する、方法。
【請求項１０】
無線セルラネットワークのハンドオーバ手順で用いられる方法であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記第２のセルユニットは選択手順に従い前記第１のセルユニット以外のセルユニットから選択され、該選択手順は、
新たにイネーブルされるセルユニットをリストに追加することにより、前記第１のセルユニットの近隣のセルユニットの前記リストを更新するステップ、
前記第１のセルユニットが最も高い受信信号強度を提供する場合でも、前記リスト内のセルユニットの受信信号強度に基づき測定報告を提供するよう、前記第１のセルユニット内のユーザ機器をトリガするために、ハンドオーバパラメータを更新するステップ、
を有する、方法。
【請求項１１】
前記ネットワークは３ＧＰＰ
ＬＴＥ−Ａネットワークであり、前記ハンドオーバパラメータは負の値に設定されたａ３オフセットパラメータである、請求項８又は１０に記載の方法。
【請求項１２】
無線セルラネットワークのハンドオーバ手順で用いられる方法であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記第２のセルユニットは選択手順に従い前記第１のセルユニット以外のセルユニットから選択され、該選択手順は、
前記第１のセルユニット内のユーザ機器にメッセージをブロードキャスト又はユニキャストするステップであって、該メッセージは、セルユニットが新たにイネーブルされたか否かを示し、該メッセージは、新たにイネーブルされた近隣セルユニットを含むが前記第１のセルユニットを除く近隣セルユニットの受信信号強度に基づき測定報告を提供するよう前記ユーザ機器を促す、ステップ、
を有する、方法。
【請求項１３】
無線セルラネットワークで用いられるハンドオーバ手順であって、該無線セルラネットワークでは、ディスエーブルされる第１のセルユニット内のユーザ機器は該第１のセルユニット又はその一部のために拡張カバレッジを提供する第２のセルユニットへハンドオーバされ、前記第１及び第２のセルユニットのうちのセルユニットはセル又はセルセクタであり、前記ハンドオーバ手順は、請求項１乃至３のいずれか一項に記載の方法に従って制御され請求項８乃至１２のいずれか一項に記載の方法を用い、又は請求項４乃至７のいずれか一項に記載の方法に従って制御され請求項８、１１及び１２のいずれか一項に記載の方法を用いる、ハンドオーバ手順。
【請求項１４】
ディスエーブルされる第１のセルユニット内のユーザ機器の該第１のセルユニット又はその一部のために拡張カバレッジを提供する第２のセルユニットへの無線セルラネットワークにおけるハンドオーバを制御するハンドオーバ制御装置であって、前記第１のセルユニット及び前記第２のセルユニットは、セル又はセルセクタであり、前記装置は、
前記第２のセルユニットによる通常動作中の使用のために予め指定された信号帯域幅又は時間−周波数リソースユニットの一部を選択し、該一部は、前記ハンドオーバ中に前記第１のセルユニットにより用いられる信号帯域幅又は時間−周波数リソースユニットと重複せず、
前記第１のセルユニットからハンドオーバされる前記ユーザ機器による使用のために前記選択された一部を指定する、装置。
【請求項１５】
無線セルラネットワークのハンドオーバ手順の実行で用いられる装置であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記装置は、前記第１のセルユニット以外のセルユニットから前記第２のセルユニットを選択するために選択手順を実行するよう構成され、該選択手順では、前記装置は、前記第１のセルユニットが最も高い受信信号強度を提供する場合でも、前記第１のセルユニットの近隣のセルユニットの受信信号強度に基づき測定報告を提供するよう、前記第１のセルユニット内のユーザ機器をトリガするために、ハンドオーバパラメータを更新させる、装置。
【請求項１６】
無線セルラネットワークのハンドオーバ手順の実行で用いられる装置であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記装置は、前記第１のセルユニット以外のセルユニットから前記第２のセルユニットを選択するために選択手順を実行するよう構成され、該選択手順では、前記装置は、新たにイネーブルされるセルユニットをリストに追加することにより、前記第１のセルユニットの近隣のセルユニットの前記リストを更新させる、装置。
【請求項１７】
無線セルラネットワークのハンドオーバ手順の実行で用いられる装置であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記装置は、前記第１のセルユニット以外のセルユニットから前記第２のセルユニットを選択するために選択手順を実行するよう構成され、該選択手順では、前記装置は、
新たにイネーブルされるセルユニットをリストに追加することにより、前記第１のセルユニットの近隣のセルユニットの前記リストを更新させ、
前記第１のセルユニットが最も高い受信信号強度を提供する場合でも、前記リスト内のセルユニットの受信信号強度に基づき測定報告を提供するよう、前記第１のセルユニット内のユーザ機器をトリガするために、ハンドオーバパラメータを更新させる、装置。
【請求項１８】
前記ネットワークは３ＧＰＰ
ＬＴＥ−Ａネットワークであり、前記ハンドオーバパラメータは負の値に設定されたａ３オフセットパラメータである、請求項２８又は３０に記載の装置。
【請求項１９】
無線セルラネットワークのハンドオーバ手順の実行で用いられる装置であって、該ハンドオーバ手順では、ディスエーブルされる第１のセルユニット内のユーザ機器は、該第１のセルユニット又はその一部のために拡張カバレッジを提供する第２のセルユニットへハンドオーバされ、前記第１及び第２のセルユニットのうちのセルユニットはセル又はセルセクタであり、前記装置は、前記第１のセルユニット以外のセルユニットから前記第２のセルユニットを選択するために選択手順を実行するよう構成され、該選択手順では、前記装置は、
前記第１のセルユニット内のユーザ機器へメッセージをブロードキャスト又はユニキャストさせ、該メッセージは、セルユニットが新たにイネーブルされたか否かを示し、該メッセージは、新たにイネーブルされた近隣セルユニットを含むが前記第１のセルユニットを除く近隣セルユニットの受信信号強度に基づき測定報告を提供するよう前記ユーザ機器を促す、装置。
【国際調査報告】
2013534746.tif 000012
2013534746.tif 000013